(57)【要約】【課題】身体補整機能を有する下半身用衣類を提供することにある。【解決手段】本発明は下半身用衣類は、身頃にタテ、ヨコに伸縮する生地を使用しており、後身頃Ｓの地の目１が、鼠径溝線Ｈと後中心線Ｋの交点Ｒと、ウェストラインＷと左右の身頃脇線Ｔの交点Ａ又はＢとを結んだ斜線となり、結んだ斜線の角度が３０度から６０度となるように形成されている。ヒップの脇の贅肉を抑え、ヒップアップする効果が期待できるものである。【選択図】  図１
2014055378.tif 000002
【特許請求の範囲】
【請求項１】
身頃にタテ、ヨコに伸縮する生地を使用した下半身用衣類であって後身頃Ｓを有し、後身頃Ｓの地の目１が、鼠径溝線Ｈと後中心線Ｋの交点Ｒと、ウェストラインＷと左右の身頃脇線Ｔの交点Ａ又はＢとを結んだ斜線の方向となり、後身頃Ｓの地の目１の角度が後中心線Ｋに対して３０度から６０度となることを特徴とする下半身用衣類。
【請求項２】
前記後身頃Ｓの地の目１の角度が後中心線Ｋに対して４０度から５０度となることを特徴とする請求項１に記載の下半身用衣類。
【請求項３】
後身頃Ｓの内側に逢着された左右一対の背面当布Ｕを更に有し、前記一対の背面当布Ｕの各々は身頃脇線Ｔと後中心線Ｋとのほぼ中間で縫着線Ｌにて縫着された中央側背面当布Ｕ１と外側背面当布Ｕ２とを有し、中央側背面当布Ｕ１の上下縁はウェストラインＷ及び鼠径溝線Ｈに一致し、中央側背面当布Ｕ１の左右縁は後中心線Ｋ及び縫着線Ｌと一致し、外側背面当布Ｕ２の上下縁はウェストラインＷ及び鼠径溝線Ｈに一致し、外側背面当布Ｕ２の左右縁は身頃脇線Ｔ及び縫着線Ｌと一致し、中央側背面当布Ｕ１および外側背面当布Ｕ２は理想のヒップの頂点を通る位置において実質最大の左右幅を有することを特徴とする請求項１および２に記載の下半身用衣類。
【請求項４】
前記中央側背面当布Ｕ１の地の目１が、鼠径溝線Ｈと後中心線Ｋの交点ＲとウェストラインＷと左右の身頃脇線Ｔの交点Ａ又はＢとを結んだ斜線の方向となることを特徴とする請求項３に記載の下半身用衣類。
【請求項５】
前記外側背面当布Ｕ２の地の目１が、鼠径溝線Ｈと後中心線Ｋの交点ＲとウェストラインＷと左右の身頃脇線Ｔの交点Ａ又はＢとを結んだ斜線の方向となることを特徴とする請求項３又は４に記載の下半身用衣類。
【請求項６】
前記外側背面当布Ｕ２の地の目１が、鼠径溝線Ｈと後中心線Ｋの交点Ｒとウェストラインと左右の身頃脇線Ｔの交点Ａ又はＢとを結んだ斜線の方向に対して実質垂直方向となることを特徴とする請求項３又は４に記載の下半身用衣類。
【請求項７】
前記中央背面当布Ｕ１の地の目１と外側背面当布の地の目１が、後中心線Ｋに対して実質垂直方向となることを特徴とする請求項３に記載の下半身用衣類。
【請求項８】
身頃にタテ、ヨコに伸縮する生地を使用した下半身用衣類であって後身頃Ｓを有し、後身頃Ｓの地の目１が、鼠径溝線Ｈと後中心線Ｋの交点Ｒと、ウェストラインＷと左右の身頃脇線Ｔの交点Ａ又はＢとを結んだ斜線の方向に対して実質垂直方向となり、後身頃Ｓの地の目１の角度が後中心線Ｋに対して３０度から６０度となることを特徴とする下半身用衣類。
【発明の詳細な説明】
【技術分野】
【０００１】
本発明は、身体補整機能を有する下半身用衣類に関する。特に、下着、スポーツウェア、タイツ、水着、ズボン、パンツ等の下半身用衣類に関するものである。
【背景技術】
【０００２】
従来、伸縮性の高い生地を使用した下半身用衣類は履き心地がよいが、体形が表に出やすいものであった。その問題を解決するために、表生地の裏に伸縮性の裏地を縫い付けて体形を整えるものが出てきている。
【先行技術文献】
【特許文献】
【０００３】
【特許文献１】特開２００６−２９９４６４号公報
【発明の概要】
【発明が解決しようとする課題】
【０００４】
特許文献１では、伸縮可能な身頃表地の内側に、後身頃のヒップ部から脇線を通り前身頃の一部を覆うタテ方向及びヨコ方向に伸縮可能な裏地を付設し、この裏地が少なくともウェストラインと内股で身頃表地に接合されているパンツが提案されている。
【０００５】
しかしながら、特許文献１では、表地を前身頃と後身頃を縫着する工程と裏地を前身頃と後身頃との両方に縫着する二つの工程を要するものであった。即ち、裏地を前身頃と後身頃との両方に縫着する二工程が必要であるために、工数がかかる欠点を有していた。また、身体補整機能となる裏地そのものが特殊な形状であり、パンツの大きさ等に合わせて幾種類も裏地を用意する必要があり、問題を有していた。
【０００６】
本発明は、以上のような従来の欠点に鑑み、身体補整機能を二工程で獲得していた下半身用衣類を一工程で提供することを目的としている。
【課題を解決するための手段】
【０００７】
本発明の請求項１に記載の下半身用衣類は、身頃にタテ、ヨコに伸縮する生地を使用した下半身用衣類であって後身頃Ｓを有し、後身頃Ｓの地の目１が、鼠径溝線Ｈと後中心線Ｋの交点Ｒと、ウェストラインＷと左右の身頃脇線Ｔの交点Ａ又はＢとを結んだ斜線の方向となり、後身頃Ｓの地の目１の角度が後中心線Ｋに対して３０度から６０度となることを特徴とする。本発明の請求項２に記載の下半身用衣類は、地の目１となる結んだ斜線の角度が後中心線Ｋに対して４０度から５０度となることを特徴とし、より身体補整機能を有するものである。
【０００８】
本発明の請求項３に記載の下半身用衣類は、後身頃Ｓの内側に逢着された左右一対の背面当布Ｕを更に有し、前記一対の背面当布Ｕの各々は身頃脇線Ｔと後中心線Ｋとのほぼ中間で縫着線Ｌにて縫着された中央側背面当布Ｕ１と外側背面当布Ｕ２とを有し、中央側背面当布Ｕ１の上下縁はウェストラインＷ及び鼠径溝線Ｈに一致し、中央側背面当布Ｕ１の左右縁は後中心線Ｋ及び縫着線Ｌと一致し、外側背面当布Ｕ２の上下縁はウェストラインＷ及び鼠径溝線Ｈに一致し、外側背面当布Ｕ２の左右縁は身頃脇線Ｔ及び縫着線Ｌと一致し、中央側背面当布Ｕ１および外側背面当布Ｕ２は理想のヒップの頂点を通る位置において実質最大の左右幅を有することを特徴とする。
【０００９】
本発明の請求項４に記載の下半身用衣類は、中央側背面当布Ｕ１の地の目１が、鼠径溝線Ｈと後中心線Ｋの交点ＲとウェストラインＷと左右の身頃脇線Ｔの交点Ａ又はＢとを結んだ斜線の方向となることを特徴とする。
【００１０】
本発明の請求項５に記載の下半身用衣類は、外側背面当布Ｕ２の地の目１が、鼠径溝線Ｈと後中心線Ｋの交点ＲとウェストラインＷと左右の身頃脇線Ｔの交点Ａ又はＢとを結んだ斜線の方向となることを特徴とする。また、本発明の請求項６に記載の下半身用衣類は、外側背面当布Ｕ２の地の目１が、鼠径溝線Ｈと後中心線Ｋの交点Ｒとウェストラインと左右の身頃脇線Ｔの交点Ａ又はＢとを結んだ斜線の方向に対して実質垂直方向となることを特徴とする。
【００１１】
本発明の請求項７に記載の下半身用衣類は、中央背面当布Ｕ１と外側背面当布Ｕ２の両方の地の目１が、後中心線Ｋに対して実質垂直方向となることを特徴とする。
【００１２】
本発明の請求項８に記載の下半身用衣類は、第２発明であり、身頃にタテ、ヨコに伸縮する生地を使用した下半身用衣類であって後身頃Ｓを有し、後身頃Ｓの地の目１が、鼠径溝線Ｈと後中心線Ｋの交点Ｒと、ウェストラインＷと左右の身頃脇線Ｔの交点Ａ又はＢとを結んだ斜線の方向に対して実質垂直方向となり、後身頃Ｓの地の目１の角度が後中心線Ｋに対して３０度から６０度となることを特徴とする。
【発明の効果】
【００１３】
本発明の請求項１に記載の下半身用衣類によれば、見た目には全く通常の下半身用衣類と変わらないが、ヒップアップ効果があり、着用快適性に優れた下半身用衣類を得ることができる。即ち、後身頃Ｓの地の目１が、鼠径溝線Ｈと後中心線Ｋの交点Ｒと、ウェストラインＷと左右の身頃脇線Ｔの交点Ａ又はＢとを結んだ斜線の方向となり、その後身頃Ｓの地の目１の角度が後中心線Ｋに対して３０度から６０度となることから、身体の動きに対して生地が連動して動きやすく、同時に後中心線Ｋとヒップライン１０によって形成される（即ち、地の目1の方向と一致する）ベクトルの力を応用してヒップアップやヒップの脇の贅肉を抑え、更にヒップアップする効果が期待できる下半身用衣類を一工程で得ることが可能なものである。
【００１４】
本発明の請求項２に記載の下半身用衣類によれば、更にヒップアップ効果の身体補整機能が期待できるものである。
【００１５】
本発明の請求項３乃至７に記載の下半身用衣類によれば、後身頃Ｓのヒップ部の内側に背面当布Ｕを配置することにより、更にヒップアップ効果やヒップの贅肉を抑える身体補整機能をより一層発揮できるものある。
【００１６】
第２発明の請求項８に記載の下半身用衣類によれば、請求項１の発明と同様のヒップアップ効果の身体補整機能が期待できるものである。
【図面の簡単な説明】
【００１７】
【図１】本発明の第１の実施形態に係る下半身用衣類の後身頃を示す背面図である。
【図２】本発明の第２の実施形態に係る背面当布を付設する下半身用衣類の後身頃の裏側を示す裏面図であり、（ａ）は背面当布の縫着前を示す図であり、（ｂ）は背面当布の縫着後を示す図である。
【図３】本発明の第３の実施形態に係る下半身用衣類の後身頃の縫着前の裏側を示す裏面図である。
【図４】本発明の第４の実施形態に係る下半身用衣類の後身頃の縫着前の裏側を示す裏面図である。
【図５】本発明の第５の実施形態に係る下半身用衣類の前身頃の裏側を示す裏面図であり、（ａ）は背面当布の縫着前を示す図であり、（ｂ）は背面当布の縫着後を示す図である。
【図６】本発明の第６の実施形態に係る下半身用衣類の前身頃と後身頃の片面を示す側面裏面図であり、（ａ）は縫着前を示す図であり、（ｂ）は縫着後を示す図である。
【図７】本発明の第２発明の実施形態に係る下半身用衣類の後身頃を示す背面図である。
【発明を実施するための形態】
【００１８】
本発明の下半身用衣類では、身頃にタテ、ヨコのいずれの方向にも伸縮する生地で構成されており、生地のタテ方向には生地の組織により伸縮し、生地のヨコ方向には弾性繊維にて伸縮性及び回復力を有するものである。そして、伸縮性及び回復力を有しているヨコ方向を「地の目」というものである。本発明において、「地の目」とは、タテ、ヨコに伸縮する生地において、タテ、ヨコのどちらかの方向の生地の回復力（戻り）が他の方向より高くなる方向をいう。すなわち、左右及び上下方向に伸縮性を有する弾性生地の地の目即ちストレッチバックの方向がより強い方向を有する生地を使用し、この地の目を斜めに使用することによって身体の運動による皮膚の伸縮に対応する共に身体補整機能をもつものである。
【００１９】
本発明では、この伸縮性のある素材の地の目を利用するものであるので、鼠径溝を中心とした臀部（ヒップ）と太もも部の皮膚の伸縮に連動して皮膚の伸びとの間の衣服の伸縮のズレの結果生じる衣服の皺の発生を極力抑制すると共に、生地の有するキックバック力を利用して臀部をプルアップし、臀部の脇の贅肉を中心に寄せるという身体補整機能を有した下半身用衣服を一工程で得られるものである。本発明における「地の目」を有する生地は、例えば、ツーウェイトリコット、トリコネット、パワーネット、デニム等である。
【００２０】
［第１の実施形態］
以下図面を参照しながら、本発明に従う下半身用衣類の第１の実施形態について説明する。図１は下半身用衣類を背面からみた後身頃Ｓを示すものである。図において示される斜めの実線は、地の目１に相当するもので、模式的に表示しているものであり、実際の生地では線状に現われてくるものではない。この地の目1の斜めの実線については、他の図においても同様である。また、以下各図においては、実際には立体的な形状なるものを平面的に図示していることを考慮すべきである。
【００２１】
図１において、Ｈは鼠径溝線（点線）、Ｋは後中心線、Ｗはウェストライン、Ｔは左右の身頃脇線であり、Ｒは鼠径溝線Ｈと後中心線Ｋの交点、Ａ、ＢはウェストラインＷと左右の身頃脇線Ｔの交点、Ｃは左右の身頃脇線Ｔと鼠径溝線Ｈの交点、Ｄは後中心線ＫとウェストラインＷの交点、Ｅは股上点である。ウェストラインＷはベルト帯Ｖの下辺ラインとなるものであり、そして、１０はヒップライン（点線）、２０は股上線（点線）である。ヒップライン１０はウェストラインＷと股上線１０と間の上から約２／３距離となるラインであり、股上線２０は中央の股上点Ｅを起点とするラインである。
【００２２】
本発明の下半身用衣類の後身頃Ｓにおける地の目１が、鼠径溝線Ｈと後中心線Ｋの交点Ｒと、ウェストラインＷと左右の身頃脇線Ｔの交点Ａ又はＢとを結んだ斜線となり、この結んだ斜線（後身頃Ｓの地の目１）の角度が後中心線Ｋに対して３０度から６０度となるものであり、好ましくは、４０度から５０度である。即ち、その角度は４５度前後がよく、ヒップアップ効果が高いものとなる。
【００２３】
また、その角度は、３０度以下になると、タテ方向への伸縮性がなくなる事の理由で、ヨコ方向の緊迫力に余分に力がかかってしまいタテ方向への伸縮性が少なくなってしまうという結果が生じて、ヒップアップ効果が低くなり、また、６０度以上になると、ヨコ方向への緊迫力が小さくなり、臀部の脇の贅肉を抑える力が小さくなってしまうとの理由で、ヨコ方向への伸縮性が少なくなってしまうという結果が生じて、同様にヒップアップ効果が低くなるものである。
【００２４】
本発明の鼠径溝線Ｈと後中心線Ｋの交点Ｒは、後中心線Ｋにおいて後中心線ＫとウェストラインＷの交点Ｄ（ウェストラインの中央点）から股上点Ｅに至る距離の股上点Ｅから約１／３の距離の位置となるもので、具体的には、ヒップライン１０と後中心線Ｋの交点の位置から約２〜３ｃｍ下がった位置となる。
【００２５】
本発明の下半身用衣類にあっては、伸縮性と弾力性のある地の目１の生地を斜めに使用しているので、身体の運動に伴って生じる生地の皺の解消にも対応することができるものである。本発明の下半身用衣類の前身頃において、地の目は横方向が好ましいものである。また、下半身用衣類のベルト帯Ｖの地の目を左右からいずれからも４５度の角度であってもよく、ウエストの外観を損なわず、ウエストの大小にも対応ができる。
【００２６】
［第２の実施形態］
本発明に従う下半身用衣類の第２の実施形態について説明する。図２は下半身用衣類の後身頃Ｓの内側ヒップ部に左右一対の背面当布Ｕが付設され縫着されたものである。図２（ａ）は背面当布Ｕを逢着する前を示すものであり、図２（ｂ）は背面当布Ｕを逢着した後を示すものである。
【００２７】
一対の背面当布Ｕの各々は、左右の身頃脇線Ｔと後中心線Ｋとのほぼ中間で中央側背面当布Ｕ１と外側背面当布Ｕ２とに分けられて二つに形成されている。即ち、背面当布Ｕは中央側背面当布Ｕ１と外側背面当布Ｕ２と左右２枚にて形成され、一対の背面当布Ｕは計4枚で形成されている。中央側背面当布Ｕ１は、上下縁がウェストラインＷ及び鼠径溝線Ｈに一致し、左右縁が後中心線Ｋ及び縫着線Ｌと一致し、外側背面当布Ｕ２の上下縁はウェストラインＷ及び鼠径溝線Ｈに一致するように形成されている。また、外側背面当布Ｕ２は、上下縁がウェストラインＷ及び鼠径溝線Ｈと一致し、左右縁が身頃脇線Ｔ及び縫着線Ｌと一致するように形成されている。縫着線Ｌは、中央側背面当布Ｕ１の内中間曲線縁Ｎと外側背面当布Ｕ２の外中間曲線縁Ｍとが縫着されて形成され、身頃脇線Ｔと後中心線Ｋとのほぼ中間に形成されるものである。
【００２８】
内中間曲線縁Ｎと外中間曲線縁Ｍとは互いに凸になる曲線であり、接点Ｑにて接している。図２（ｂ）に示されるように、内中間曲線縁Ｎと外中間曲線縁Ｍとを縫着した際に、縫着線Ｌ上の接点Ｑが理想のヒップの頂点となる位置に形成されている。内中間曲線縁Ｎと外中間曲線縁Ｍとの縫着線Ｌは図面上では直線状に表現しているが、実際には、外に凸なる曲線状になっている。即ち、縫着された一対の背面当布Ｕは、左右に、上下がウェストラインＷと鼠径溝線Ｈで、左右が身頃脇線Ｔと後中央線Ｋで囲まれた面となり、その面は略中心となる両接点Ｑとなる頂点とする略球形状となる。そのためヒップに沿い易くなると共に、ヒップを桃型に整えてから、ヒップアップ効果を奏しやすくなるものである。即ち、中央側背面当布Ｕ１および外側背面当布Ｕ２は理想のヒップの頂点を通る位置において実質最大の左右幅を有することになるものある。
【００２９】
図２に示されるように、背面当布Ｕの中央側背面当布Ｕ１と外側背面当布Ｕ２との地の目１は、鼠径溝線Ｈと後中心線Ｋの交点ＲとウェストラインＷと左右の身頃脇線Ｔの交点Ａ又はＢとを結んだ斜線の方向となるものである。第２の実施形態では、後身頃Ｓの地の目１と背面当布Ｕの地の目１とが同じ方向となり、より一層のヒップアップ効果が得られるものである。
【００３０】
［第３の実施形態］
本発明に従う下半身用衣類の第３の実施形態について説明する。図３は下半身用衣類の後身頃Ｓの内側ヒップ部に一対の背面当布Ｕが付設され縫着される前を示すものである。第２の実施形態とは、背面当布Ｕの外側背面当布Ｕ２の地の目１の方向が相違するものであり、鼠径溝線Ｈと後中心線Ｋの交点Ｒとウェストラインと左右の身頃脇線Ｔの交点Ａ又はＢとを結んだ斜線の方向とは反対方向となるものである。即ち、外側背面当布Ｕ２の地の目１の方向は、後身頃Ｓの地の目１と逆方向となり、後身頃Ｓの地の目１の方向に対して実質垂直方向となるものであり、ヒップの贅肉を内側に寄せながら抑えて、ヒップアップ効果が期待できるものである。
【００３１】
［第４の実施形態］
本発明に従う下半身用衣類の第４の実施形態について説明する。図４は下半身用衣類の後身頃Ｓの内側ヒップ部に一対の背面当布Ｕが付設され縫着される前を示すものである。背面当布Ｕの中央背面当布Ｕ１の地の目１と外側背面当布の地の目１が、後中心線Ｋに対して実質垂直方向となるものである。この第４の実施形態では、背面当布Ｕの全体の地の目１の線が横方向となるので、ヒップの贅肉をより内中央側に寄せて抑える効果が期待できるものである。
【００３２】
［第５の実施形態］
本発明に従う下半身用衣類の第５の実施形態について説明する。図５は下半身用衣類の前身頃ＳＳの内側に前身頃用の前裏当布Ｕ３が付設され縫着される前を示すものである。前裏当布Ｕ３の地の目１の線は前中心線Ｋ１に対して実質垂直方向（横方向）である。前裏当布Ｕ３の前中心線Ｋ１の両側は、弓型曲線縁Ｆ、Ｆにて切り込まれている。この弓型曲線縁Ｆ、Ｆ同士を縫着すると、図６（ｂ）に示されるように、腹側へ凹んだような縫着曲線Ｌ２となる。そのため、お腹を抑える効果が生じることになり、弓と弦の関係を応用してお腹抑えの補整機能を付加することができる。
【００３３】
図５（ａ）に示すように、地の目が横方向となる前身頃ＳＳに前身頃ＳＳの前鼠径溝線Ｈ１の中心近傍からお腹の膨らみの中心点Ｑ１に向かって切込み入れて切込線Ｆ１，Ｆ２を形成し、図５（ｂ）に示すように、この切込線Ｆ１，Ｆ２を縫着することによって縫着線Ｌ１、Ｌ１となり、お腹をプッシュアップしお腹を押し上げ、更にお腹抑えの補整機能を付加することができる。
【００３４】
［第６の実施形態］
本発明に従う下半身用衣類の第６の実施形態について説明する。図６は下半身用衣類の前身頃ＳＳと後身頃Ｓと合わした片面の側面裏面図であり、図６（ａ）は縫着前を示す図であり、図６（ｂ）は縫着後を示す図である。図６（ａ）に示されるように、下半身用衣類の前身頃ＳＳの内側裏面に前裏当布Ｕ３が付設され、後身頃Ｓの内側の裏面に背面当布Ｕとなる中央側背面当布Ｕ１と外側背面当布Ｕ２が付設されている。前裏当布Ｕ３の地の目１は横方向であり、中央側背面当布Ｕ１と外側背面当布Ｕ２の地の目１は、第２実施形態と逆方向となるものであり、第５実施態様にて説明したように前裏当布Ｕ３の前中心線Ｋ１の両側に形成されている弓型曲線縁Ｆ、Ｆにて切り込まれている。この切込み曲線Ｆ、Ｆ同士を逢着すると、図６（ｂ）のように腹側へ凹んだような縫着曲線Ｌ２となる。そのため、お腹を押さえる効果が生じることになる。
【００３５】
図６（ｂ）に示されるように、太ももから脚部には、相当する位置に裏当布ＵＡを縫着したものであり、太ももから脚の脇に発生する贅肉も、丈の変化に対応した地の目を有する裏当布ＵＡを縫着することによって抑えることができる。
【００３６】
なお、上述した下半身用衣類と略同一の部材には同一の符号を付し説明は省略する。
以上、本発明の実施形態に係る下半身用衣類について添付の図面を参照して説明したが、本発明かかる実施形態に限定されず、本発明の範囲を逸脱することなく種々の変形乃至修正が可能である。
【００３７】
本発明の第２発明を説明する。図７は第２発明の実施形態であり、後身頃Ｓの地の目１が、鼠径溝線Ｈと後中心線Ｋの交点Ｒと、ウェストラインＷと左右の身頃脇線Ｔの交点Ａ又はＢとを結んだ斜線の方向に対して実質垂直方向となり、後身頃Ｓの地の目１の角度が後中心線Ｋに対して３０度から６０度となるものである。即ち、図1に示される第1の実施形態の下半身用衣服の後身頃Ｓの地の目１の方向と反対方向となるものである。
【符号の説明】
【００３８】
１    地の目
Ｓ    後身頃
Ｈ    鼠径溝線
Ｋ    後身頃の後中心線
Ｔ    左右の身頃脇線
Ｗ    ウェストライン
Ｒ    鼠径溝線と後中心線の交点
Ａ、Ｂ    ウェストラインと身頃脇線の交点
Ｃ    左右の身頃脇線と鼠径溝線の交点
Ｄ    後中心線とウェストラインの交点
Ｅ    股上点
Ｑ    内中間曲線縁Ｎと外中間曲線縁Ｍとの接点
Ｕ    背面当布
Ｕ１  中央側背面当布
Ｕ２  外側背面当布
Ｕ３  前裏当布
Ｎ    内中間曲線縁
Ｍ    外中間曲線縁
Ｌ    縫着線
Ｌ１  縫着線
Ｆ    弓型曲線縁
Ｆ１、Ｆ２  切込線
１０  ヒップライン
２０  股上線
【図１】
2014055378.tif 000003
【図２】
2014055378.tif 000004
【図３】
2014055378.tif 000005
【図４】
2014055378.tif 000006
【図５】
2014055378.tif 000007
【図６】
2014055378.tif 000008
【図７】
2014055378.tif 000009
【手続補正書】
【提出日】平成25年2月20日(2013.2.20)
【手続補正１】
【補正対象書類名】特許請求の範囲
【補正対象項目名】全文
【補正方法】変更
【補正の内容】
【特許請求の範囲】
【請求項１】
身頃にタテ、ヨコに伸縮する生地を使用した下半身用衣類であって後身頃Ｓを有し、後身頃Ｓの地の目１が、鼠径溝線Ｈと後中心線Ｋの交点Ｒと、ウェストラインＷと左右の身頃脇線Ｔの交点Ａ又はＢとを結んだ斜線の方向となり、後身頃Ｓの地の目１の角度が後中心線Ｋに対して４０度から５０度となり、後身頃Ｓの内側に逢着された左右一対の背面当布Ｕを更に有し、前記一対の背面当布Ｕの各々は身頃脇線Ｔと後中心線Ｋとの中間で縫着線Ｌにて縫着された中央側背面当布Ｕ１と外側背面当布Ｕ２とを有し、中央側背面当布Ｕ１の上下縁はウェストラインＷ及び鼠径溝線Ｈに一致し、中央側背面当布Ｕ１の左右縁は後中心線Ｋ及び縫着線Ｌと一致し、外側背面当布Ｕ２の上下縁はウェストラインＷ及び鼠径溝線Ｈに一致し、外側背面当布Ｕ２の左右縁は身頃脇線Ｔ及び縫着線Ｌと一致し、中央側背面当布Ｕ１および外側背面当布Ｕ２は理想のヒップの頂点を通る位置において実質最大の左右幅を有することを特徴とする下半身用衣類。
【請求項２】
前記中央側背面当布Ｕ１の地の目１が、鼠径溝線Ｈと後中心線Ｋの交点ＲとウェストラインＷと左右の身頃脇線Ｔの交点Ａ又はＢとを結んだ斜線の方向となることを特徴とする請求項１に記載の下半身用衣類。
【請求項３】
前記外側背面当布Ｕ２の地の目１が、鼠径溝線Ｈと後中心線Ｋの交点ＲとウェストラインＷと左右の身頃脇線Ｔの交点Ａ又はＢとを結んだ斜線の方向となることを特徴とする請求項１又は２に記載の下半身用衣類。
【請求項４】
前記外側背面当布Ｕ２の地の目１が、鼠径溝線Ｈと後中心線Ｋの交点Ｒとウェストラインと左右の身頃脇線Ｔの交点Ａ又はＢとを結んだ斜線の方向に対して垂直方向となることを特徴とする請求項１又は２に記載の下半身用衣類。
【請求項５】
前記中央背面当布Ｕ１の地の目１と外側背面当布の地の目１が、後中心線Ｋに対して垂直方向となることを特徴とする請求項１に記載の下半身用衣類。
【手続補正２】
【補正対象書類名】明細書
【補正対象項目名】全文
【補正方法】変更
【補正の内容】
【発明の詳細な説明】
【技術分野】
【０００１】
本発明は、身体補整機能を有する下半身用衣類に関する。特に、下着、スポーツウェア、タイツ、水着、ズボン、パンツ等の下半身用衣類に関するものである。
【背景技術】
【０００２】
従来、伸縮性の高い生地を使用した下半身用衣類は履き心地がよいが、体形が表に出やすいものであった。その問題を解決するために、表生地の裏に伸縮性の裏地を縫い付けて体形を整えるものが出てきている。
【先行技術文献】
【特許文献】
【０００３】
【特許文献１】特開２００６−２９９４６４号公報
【発明の概要】
【発明が解決しようとする課題】
【０００４】
特許文献１では、伸縮可能な身頃表地の内側に、後身頃のヒップ部から脇線を通り前身頃の一部を覆うタテ方向及びヨコ方向に伸縮可能な裏地を付設し、この裏地が少なくともウェストラインと内股で身頃表地に接合されているパンツが提案されている。
【０００５】
しかしながら、特許文献１では、表地を前身頃と後身頃を縫着する工程と裏地を前身頃と後身頃との両方に縫着する二つの工程を要するものであった。即ち、裏地を前身頃と後身頃との両方に縫着する二工程が必要であるために、工数がかかる欠点を有していた。また、身体補整機能となる裏地そのものが特殊な形状であり、パンツの大きさ等に合わせて幾種類も裏地を用意する必要があり、問題を有していた。
【０００６】
本発明は、以上のような従来の欠点に鑑み、身体補整機能を二工程で獲得していた下半身用衣類を一工程で提供することを目的としている。
【課題を解決するための手段】
【０００７】
本発明の請求項１に記載の下半身用衣類は、身頃にタテ、ヨコに伸縮する生地を使用した下半身用衣類であって後身頃Ｓを有し、後身頃Ｓの地の目１が、鼠径溝線Ｈと後中心線Ｋの交点Ｒと、ウェストラインＷと左右の身頃脇線Ｔの交点Ａ又はＢとを結んだ斜線の方向となり、後身頃Ｓの地の目１の角度が後中心線Ｋに対して４０度から５０度となり、後身頃Ｓの内側に逢着された左右一対の背面当布Ｕを更に有し、前記一対の背面当布Ｕの各々は身頃脇線Ｔと後中心線Ｋとの中間で縫着線Ｌにて縫着された中央側背面当布Ｕ１と外側背面当布Ｕ２とを有し、中央側背面当布Ｕ１の上下縁はウェストラインＷ及び鼠径溝線Ｈに一致し、中央側背面当布Ｕ１の左右縁は後中心線Ｋ及び縫着線Ｌと一致し、外側背面当布Ｕ２の上下縁はウェストラインＷ及び鼠径溝線Ｈに一致し、外側背面当布Ｕ２の左右縁は身頃脇線Ｔ及び縫着線Ｌと一致し、中央側背面当布Ｕ１および外側背面当布Ｕ２は理想のヒップの頂点を通る位置において実質最大の左右幅を有することを特徴とし、より身体補整機能を有するものである。
【０００８】
本発明の請求項２に記載の下半身用衣類は、中央側背面当布Ｕ１の地の目１が、鼠径溝線Ｈと後中心線Ｋの交点ＲとウェストラインＷと左右の身頃脇線Ｔの交点Ａ又はＢとを結んだ斜線の方向となることを特徴とする。
【０００９】
本発明の請求項３に記載の下半身用衣類は、外側背面当布Ｕ２の地の目１が、鼠径溝線Ｈと後中心線Ｋの交点ＲとウェストラインＷと左右の身頃脇線Ｔの交点Ａ又はＢとを結んだ斜線の方向となることを特徴とする。また、本発明の請求項４に記載の下半身用衣類は、外側背面当布Ｕ２の地の目１が、鼠径溝線Ｈと後中心線Ｋの交点Ｒとウェストラインと左右の身頃脇線Ｔの交点Ａ又はＢとを結んだ斜線の方向に対して垂直方向となることを特徴とする。
【００１０】
本発明の請求項５に記載の下半身用衣類は、中央背面当布Ｕ１と外側背面当布Ｕ２の両方の地の目１が、後中心線Ｋに対して実質垂直方向となることを特徴とする。
【発明の効果】
【００１１】
本発明の請求項１に記載の下半身用衣類によれば、見た目には全く通常の下半身用衣類と変わらないが、ヒップアップ効果があり、着用快適性に優れた下半身用衣類を得ることができる。即ち、後身頃Ｓの地の目１が、鼠径溝線Ｈと後中心線Ｋの交点Ｒと、ウェストラインＷと左右の身頃脇線Ｔの交点Ａ又はＢとを結んだ斜線の方向となり、その後身頃Ｓの地の目１の角度が後中心線Ｋに対して４０度から５０度となることから、身体の動きに対して生地が連動して動きやすく、同時に後中心線Ｋとヒップライン１０によって形成される（即ち、地の目1の方向と一致する）ベクトルの力を応用してヒップアップやヒップの脇の贅肉を抑え、更にヒップアップする効果が期待できる下半身用衣類を一工程で得ることが可能なものである。
【００１２】
本発明の下半身用衣類によれば、更にヒップアップ効果の身体補整機能が期待できるものである。
【００１３】
本発明の下半身用衣類によれば、後身頃Ｓのヒップ部の内側に背面当布Ｕを配置することにより、更にヒップアップ効果やヒップの贅肉を抑える身体補整機能をより一層発揮できるものある。
【図面の簡単な説明】
【００１４】
【図１】本発明の第１の実施形態に係る下半身用衣類の後身頃を示す背面図である。
【図２】本発明の第２の実施形態に係る背面当布を付設する下半身用衣類の後身頃の裏側を示す裏面図であり、（ａ）は背面当布の縫着前を示す図であり、（ｂ）は背面当布の縫着後を示す図である。
【図３】本発明の第３の実施形態に係る下半身用衣類の後身頃の縫着前の裏側を示す裏面図である。
【図４】本発明の第４の実施形態に係る下半身用衣類の後身頃の縫着前の裏側を示す裏面図である。
【図５】本発明の第５の実施形態に係る下半身用衣類の前身頃の裏側を示す裏面図であり、（ａ）は背面当布の縫着前を示す図であり、（ｂ）は背面当布の縫着後を示す図である。
【図６】本発明の第６の実施形態に係る下半身用衣類の前身頃と後身頃の片面を示す側面裏面図であり、（ａ）は縫着前を示す図であり、（ｂ）は縫着後を示す図である。
【図７】下半身用衣類の後身頃を示す背面図である。
【発明を実施するための形態】
【００１５】
本発明の下半身用衣類では、身頃にタテ、ヨコのいずれの方向にも伸縮する生地で構成されており、生地のタテ方向には生地の組織により伸縮し、生地のヨコ方向には弾性繊維にて伸縮性及び回復力を有するものである。そして、伸縮性及び回復力を有しているヨコ方向を「地の目」というものである。本発明において、「地の目」とは、タテ、ヨコに伸縮する生地において、タテ、ヨコのどちらかの方向の生地の回復力（戻り）が他の方向より高くなる方向をいう。すなわち、左右及び上下方向に伸縮性を有する弾性生地の地の目即ちストレッチバックの方向がより強い方向を有する生地を使用し、この地の目を斜めに使用することによって身体の運動による皮膚の伸縮に対応する共に身体補整機能をもつものである。
【００１６】
本発明では、この伸縮性のある素材の地の目を利用するものであるので、鼠径溝を中心とした臀部（ヒップ）と太もも部の皮膚の伸縮に連動して皮膚の伸びとの間の衣服の伸縮のズレの結果生じる衣服の皺の発生を極力抑制すると共に、生地の有するキックバック力を利用して臀部をプルアップし、臀部の脇の贅肉を中心に寄せるという身体補整機能を有した下半身用衣服を一工程で得られるものである。本発明における「地の目」を有する生地は、例えば、ツーウェイトリコット、トリコネット、パワーネット、デニム等である。
【００１７】
［第１の実施形態］
以下図面を参照しながら、本発明に従う下半身用衣類の第１の実施形態について説明する。図１は下半身用衣類を背面からみた後身頃Ｓを示すものである。図において示される斜めの実線は、地の目１に相当するもので、模式的に表示しているものであり、実際の生地では線状に現われてくるものではない。この地の目1の斜めの実線については、他の図においても同様である。また、以下各図においては、実際には立体的な形状なるものを平面的に図示していることを考慮すべきである。
【００１８】
図１において、Ｈは鼠径溝線（点線）、Ｋは後中心線、Ｗはウェストライン、Ｔは左右の身頃脇線であり、Ｒは鼠径溝線Ｈと後中心線Ｋの交点、Ａ、ＢはウェストラインＷと左右の身頃脇線Ｔの交点、Ｃは左右の身頃脇線Ｔと鼠径溝線Ｈの交点、Ｄは後中心線ＫとウェストラインＷの交点、Ｅは股上点である。ウェストラインＷはベルト帯Ｖの下辺ラインとなるものであり、そして、１０はヒップライン（点線）、２０は股上線（点線）である。ヒップライン１０はウェストラインＷと股上線１０と間の上から約２／３距離となるラインであり、股上線２０は中央の股上点Ｅを起点とするラインである。
【００１９】
本発明の下半身用衣類の後身頃Ｓにおける地の目１が、鼠径溝線Ｈと後中心線Ｋの交点Ｒと、ウェストラインＷと左右の身頃脇線Ｔの交点Ａ又はＢとを結んだ斜線となり、この結んだ斜線（後身頃Ｓの地の目１）の角度が後中心線Ｋに対して３０度から６０度となるものであり、好ましくは、４０度から５０度である。即ち、その角度は４５度前後がよく、ヒップアップ効果が高いものとなる。
【００２０】
また、その角度は、３０度以下になると、タテ方向への伸縮性がなくなる事の理由で、ヨコ方向の緊迫力に余分に力がかかってしまいタテ方向への伸縮性が少なくなってしまうという結果が生じて、ヒップアップ効果が低くなり、また、６０度以上になると、ヨコ方向への緊迫力が小さくなり、臀部の脇の贅肉を抑える力が小さくなってしまうとの理由で、ヨコ方向への伸縮性が少なくなってしまうという結果が生じて、同様にヒップアップ効果が低くなるものである。
【００２１】
本発明の鼠径溝線Ｈと後中心線Ｋの交点Ｒは、後中心線Ｋにおいて後中心線ＫとウェストラインＷの交点Ｄ（ウェストラインの中央点）から股上点Ｅに至る距離の股上点Ｅから約１／３の距離の位置となるもので、具体的には、ヒップライン１０と後中心線Ｋの交点の位置から約２〜３ｃｍ下がった位置となる。
【００２２】
本発明の下半身用衣類にあっては、伸縮性と弾力性のある地の目１の生地を斜めに使用しているので、身体の運動に伴って生じる生地の皺の解消にも対応することができるものである。本発明の下半身用衣類の前身頃において、地の目は横方向が好ましいものである。また、下半身用衣類のベルト帯Ｖの地の目を左右からいずれからも４５度の角度であってもよく、ウエストの外観を損なわず、ウエストの大小にも対応ができる。
【００２３】
［第２の実施形態］
本発明に従う下半身用衣類の第２の実施形態について説明する。図２は下半身用衣類の後身頃Ｓの内側ヒップ部に左右一対の背面当布Ｕが付設され縫着されたものである。図２（ａ）は背面当布Ｕを逢着する前を示すものであり、図２（ｂ）は背面当布Ｕを逢着した後を示すものである。
【００２４】
一対の背面当布Ｕの各々は、左右の身頃脇線Ｔと後中心線Ｋとのほぼ中間で中央側背面当布Ｕ１と外側背面当布Ｕ２とに分けられて二つに形成されている。即ち、背面当布Ｕは中央側背面当布Ｕ１と外側背面当布Ｕ２と左右２枚にて形成され、一対の背面当布Ｕは計4枚で形成されている。中央側背面当布Ｕ１は、上下縁がウェストラインＷ及び鼠径溝線Ｈに一致し、左右縁が後中心線Ｋ及び縫着線Ｌと一致し、外側背面当布Ｕ２の上下縁はウェストラインＷ及び鼠径溝線Ｈに一致するように形成されている。また、外側背面当布Ｕ２は、上下縁がウェストラインＷ及び鼠径溝線Ｈと一致し、左右縁が身頃脇線Ｔ及び縫着線Ｌと一致するように形成されている。縫着線Ｌは、中央側背面当布Ｕ１の内中間曲線縁Ｎと外側背面当布Ｕ２の外中間曲線縁Ｍとが縫着されて形成され、身頃脇線Ｔと後中心線Ｋとのほぼ中間に形成されるものである。
【００２５】
内中間曲線縁Ｎと外中間曲線縁Ｍとは互いに凸になる曲線であり、接点Ｑにて接している。図２（ｂ）に示されるように、内中間曲線縁Ｎと外中間曲線縁Ｍとを縫着した際に、縫着線Ｌ上の接点Ｑが理想のヒップの頂点となる位置に形成されている。内中間曲線縁Ｎと外中間曲線縁Ｍとの縫着線Ｌは図面上では直線状に表現しているが、実際には、外に凸なる曲線状になっている。即ち、縫着された一対の背面当布Ｕは、左右に、上下がウェストラインＷと鼠径溝線Ｈで、左右が身頃脇線Ｔと後中央線Ｋで囲まれた面となり、その面は略中心となる両接点Ｑとなる頂点とする略球形状となる。そのためヒップに沿い易くなると共に、ヒップを桃型に整えてから、ヒップアップ効果を奏しやすくなるものである。即ち、中央側背面当布Ｕ１および外側背面当布Ｕ２は理想のヒップの頂点を通る位置において実質最大の左右幅を有することになるものある。
【００２６】
図２に示されるように、背面当布Ｕの中央側背面当布Ｕ１と外側背面当布Ｕ２との地の目１は、鼠径溝線Ｈと後中心線Ｋの交点ＲとウェストラインＷと左右の身頃脇線Ｔの交点Ａ又はＢとを結んだ斜線の方向となるものである。第２の実施形態では、後身頃Ｓの地の目１と背面当布Ｕの地の目１とが同じ方向となり、より一層のヒップアップ効果が得られるものである。
【００２７】
［第３の実施形態］
本発明に従う下半身用衣類の第３の実施形態について説明する。図３は下半身用衣類の後身頃Ｓの内側ヒップ部に一対の背面当布Ｕが付設され縫着される前を示すものである。第２の実施形態とは、背面当布Ｕの外側背面当布Ｕ２の地の目１の方向が相違するものであり、鼠径溝線Ｈと後中心線Ｋの交点Ｒとウェストラインと左右の身頃脇線Ｔの交点Ａ又はＢとを結んだ斜線の方向とは反対方向となるものである。即ち、外側背面当布Ｕ２の地の目１の方向は、後身頃Ｓの地の目１と逆方向となり、後身頃Ｓの地の目１の方向に対して実質垂直方向となるものであり、ヒップの贅肉を内側に寄せながら抑えて、ヒップアップ効果が期待できるものである。
【００２８】
［第４の実施形態］
本発明に従う下半身用衣類の第４の実施形態について説明する。図４は下半身用衣類の後身頃Ｓの内側ヒップ部に一対の背面当布Ｕが付設され縫着される前を示すものである。背面当布Ｕの中央背面当布Ｕ１の地の目１と外側背面当布の地の目１が、後中心線Ｋに対して実質垂直方向となるものである。この第４の実施形態では、背面当布Ｕの全体の地の目１の線が横方向となるので、ヒップの贅肉をより内中央側に寄せて抑える効果が期待できるものである。
【００２９】
［第５の実施形態］
本発明に従う下半身用衣類の第５の実施形態について説明する。図５は下半身用衣類の前身頃ＳＳの内側に前身頃用の前裏当布Ｕ３が付設され縫着される前を示すものである。前裏当布Ｕ３の地の目１の線は前中心線Ｋ１に対して実質垂直方向（横方向）である。前裏当布Ｕ３の前中心線Ｋ１の両側は、弓型曲線縁Ｆ、Ｆにて切り込まれている。この弓型曲線縁Ｆ、Ｆ同士を縫着すると、図６（ｂ）に示されるように、腹側へ凹んだような縫着曲線Ｌ２となる。そのため、お腹を抑える効果が生じることになり、弓と弦の関係を応用してお腹抑えの補整機能を付加することができる。
【００３０】
図５（ａ）に示すように、地の目が横方向となる前身頃ＳＳに前身頃ＳＳの前鼠径溝線Ｈ１の中心近傍からお腹の膨らみの中心点Ｑ１に向かって切込み入れて切込線Ｆ１，Ｆ２を形成し、図５（ｂ）に示すように、この切込線Ｆ１，Ｆ２を縫着することによって縫着線Ｌ１、Ｌ１となり、お腹をプッシュアップしお腹を押し上げ、更にお腹抑えの補整機能を付加することができる。
【００３１】
［第６の実施形態］
本発明に従う下半身用衣類の第６の実施形態について説明する。図６は下半身用衣類の前身頃ＳＳと後身頃Ｓと合わした片面の側面裏面図であり、図６（ａ）は縫着前を示す図であり、図６（ｂ）は縫着後を示す図である。図６（ａ）に示されるように、下半身用衣類の前身頃ＳＳの内側裏面に前裏当布Ｕ３が付設され、後身頃Ｓの内側の裏面に背面当布Ｕとなる中央側背面当布Ｕ１と外側背面当布Ｕ２が付設されている。前裏当布Ｕ３の地の目１は横方向であり、中央側背面当布Ｕ１と外側背面当布Ｕ２の地の目１は、第２実施形態と逆方向となるものであり、第５実施態様にて説明したように前裏当布Ｕ３の前中心線Ｋ１の両側に形成されている弓型曲線縁Ｆ、Ｆにて切り込まれている。この切込み曲線Ｆ、Ｆ同士を逢着すると、図６（ｂ）のように腹側へ凹んだような縫着曲線Ｌ２となる。そのため、お腹を押さえる効果が生じることになる。
【００３２】
図６（ｂ）に示されるように、太ももから脚部には、相当する位置に裏当布ＵＡを縫着したものであり、太ももから脚の脇に発生する贅肉も、丈の変化に対応した地の目を有する裏当布ＵＡを縫着することによって抑えることができる。
【００３３】
なお、上述した下半身用衣類と略同一の部材には同一の符号を付し説明は省略する。
以上、本発明の実施形態に係る下半身用衣類について添付の図面を参照して説明したが、本発明かかる実施形態に限定されず、本発明の範囲を逸脱することなく種々の変形乃至修正が可能である。
【００３４】
図７では、後身頃Ｓの地の目１が、鼠径溝線Ｈと後中心線Ｋの交点Ｒと、ウェストラインＷと左右の身頃脇線Ｔの交点Ａ又はＢとを結んだ斜線の方向に対して実質垂直方向となり、後身頃Ｓの地の目１の角度が後中心線Ｋに対して３０度から６０度となるものである。即ち、図1に示される第1の実施形態の下半身用衣服の後身頃Ｓの地の目１の方向と反対方向となるものである。
【符号の説明】
【００３５】
１    地の目
Ｓ    後身頃
Ｈ    鼠径溝線
Ｋ    後身頃の後中心線
Ｔ    左右の身頃脇線
Ｗ    ウェストライン
Ｒ    鼠径溝線と後中心線の交点
Ａ、Ｂ    ウェストラインと身頃脇線の交点
Ｃ    左右の身頃脇線と鼠径溝線の交点
Ｄ    後中心線とウェストラインの交点
Ｅ    股上点
Ｑ    内中間曲線縁Ｎと外中間曲線縁Ｍとの接点
Ｕ    背面当布
Ｕ１  中央側背面当布
Ｕ２  外側背面当布
Ｕ３  前裏当布
Ｎ    内中間曲線縁
Ｍ    外中間曲線縁
Ｌ    縫着線
Ｌ１  縫着線
Ｆ    弓型曲線縁
Ｆ１、Ｆ２  切込線
１０  ヒップライン
２０  股上線